(57)【要約】【課題】本考案の目的は、貼り付け対象の保護効果をより良好に発揮可能なテープを提供することである。【解決手段】第１基材層と、第１基材層に積層される第１接着層と、第１接着層に積層される第２基材層と、第２基材層に積層される第２接着層と、第２接着層に積層されるセパレータとを備え、セパレータが剥がされた状態で卓球ラケットのブレードの外周面に貼られることを特徴とする卓球ラケット保護用のテープ。【選択図】図２
0003220045.tif 000002
【実用新案登録請求の範囲】
【請求項１】
第１基材層と、
前記第１基材層に積層される第１接着層と、
前記第１接着層に積層される第２基材層と、
前記第２基材層に積層される第２接着層と、
前記第２接着層に積層されるセパレータとを備え、
前記セパレータが剥がされた状態で卓球ラケットのブレードの外周面に貼られることを特徴とする卓球ラケット保護用のテープ。
【請求項２】
請求項１に記載のテープにおいて、
前記第１基材層は、透明性を有し、前記第２基材層が積層される一面が印刷面となるウレタンフィルムであり、
前記第２基材層は、ウレタンフィルムである
ことを特徴とするテープ。
【請求項３】
請求項１または請求項２に記載のテープにおいて、
前記第１接着層および前記第２接着層は、両面テープであることを特徴とするテープ。
【請求項４】
請求項１から請求項３のいずれか一つに記載のテープにおいて、
前記第１基材層および前記第２基材層は、厚みが同一であり、前記第１接着層は、前記第２接着層よりも薄いことを特徴とするテープ。
【考案の詳細な説明】
【技術分野】
【０００１】
本考案は、テープに関するものであり、具体的には卓球ラケットのエッジに貼るためのテープ（サイドテープ）として利用できるテープに関する。
【背景技術】
【０００２】
卓球ラケットのエッジは、卓球台に打ち付けられたりこすりつけられたりしやすく、傷つきやすい。また、卓球ラケットのエッジは、デザインという観点からは、ラケットの表裏面のラバーとの間をつなぐ領域であり装飾の対象となり得る。そこで、卓球ラケットにおいては、エッジの傷つき防止や装飾のためにサイドテープが利用される（例えば特許文献１）。
【先行技術文献】
【特許文献】
【０００３】
【特許文献１】実開昭６１−１８８３４号公報
【考案の概要】
【考案が解決しようとする課題】
【０００４】
図３は、従来のサイドテープ１Ａの構成を示す断面図である。
従来のサイドテープ１Ａは、基材として、裏面が印刷面３Ａとなる透明なウレタンフィルム２１Ａが用いられる。ウレタンフィルム２１Ａには両面テープ４１Ａが積層される。このように、従来のサイドテープ１Ａは、ウレタンフィルム２１Ａおよび両面テープ４１Ａからなる層が１層ある１層構造になっている。両面テープ４１Ａにはセパレータ５Ａが積層される。サイドテープ１Ａは、セパレータ５Ａが剥がされた状態で両面テープ４１Ａ側から貼り付け対象に貼り付けられる。
【０００５】
サイドテープは、上記従来の構造でも貼り付け対象の保護効果を有するものの、市場からはさらなる保護効果が求められている。
【０００６】
本考案の目的は、貼り付け対象の保護効果をより良好に発揮可能なテープを提供することである。
【課題を解決するための手段】
【０００７】
本考案の要旨は以下のとおりである。
[１]  第１基材層と、
前記第１基材層に積層される第１接着層と、
前記第１接着層に積層される第２基材層と、
前記第２基材層に積層される第２接着層と、
前記第２接着層に積層されるセパレータとを備え、
前記セパレータが剥がされた状態で卓球ラケットのブレードの外周面に貼られることを特徴とする卓球ラケット保護用のテープ。
[２] [１]に記載のテープにおいて、
前記第１基材層は、透明性を有し、前記第２基材層が積層される一面が印刷面となるウレタンフィルムであり、
前記第２基材層は、ウレタンフィルムである
ことを特徴とするテープ。
[３] [１]または[２]に記載のテープにおいて、
前記第１接着層および前記第２接着層は、両面テープであることを特徴とするテープ。
[４] [１]から[３]のいずれか一つに記載のテープにおいて、
前記第１基材層および前記第２基材層は、厚みが同一であり、前記第１接着層は、前記第２接着層よりも薄いことを特徴とするテープ。
【考案の効果】
【０００８】
本考案のテープは、基材層および接着層を含む層を少なくとも２層設けることで、テープ全体としての柔軟性を維持し、かつ厚みおよび重量の増大を抑えながら、強度を十分に増大させることができる。これにより、本考案のテープを卓球ラケットのサイドテープに適用する場合、卓球ラケットの外周面の保護効果を従来のものよりも向上できる。また、本考案のサイドテープは、卓球ラケットの重量を僅かにしか増大させないので、個人や貼り付けられるテープの面積にもよるが、実質的にプレーに支障がでない。さらに、本考案のサイドテープは、柔軟性があることから、卓球ラケットに貼りやすく、また巻いて保管でき、取り扱い性が良好である。
【図面の簡単な説明】
【０００９】
【図１】サイドテープの使用の一例を示す斜視図である。
【図２】サイドテープの構成を示す断面図である。
【図３】従来のサイドテープの構成を示す断面図である。
【考案を実施するための形態】
【００１０】
以下、図面を参照して、本考案のテープを卓球ラケット用のサイドテープ１に適用した例を説明する。図１は、サイドテープ１を示す斜視図である。
サイドテープ１は、柔軟性を有し、卓球ラケット９のエッジ、具体的にはブレード９１の外周面９２に貼られる。サイドテープ１は、外周面９２において使用者が保護したい部位に貼ることができ、例えば始端および終端がラバー９３のグリップ９４側の端部と揃うように外周面９２に亘って貼られる。
【００１１】
図２は、サイドテープ１の構成を示す断面図である。
サイドテープ１は、表面側に位置する基材として第１ウレタンフィルム２１（第１基材層）を備える。第１ウレタンフィルム２１は、ＰＵ（ポリウレタン）またはＴＰＵ（サーモプラスティックポリウレタン）である。第１ウレタンフィルム２１は、高い耐摩耗性、柔軟性、および弾性を有する。また、第１ウレタンフィルム２１は、透明性を有し、裏面が印刷面３となる。印刷面３への色材の付与方法は適宜の方法を採用できる。
【００１２】
第１ウレタンフィルム２１の印刷面３には、第１両面テープ４１（第１接着層）が積層される。第１両面テープ４１は、不織布等の基材が両面に粘着剤を保持する構造となっている。粘着剤は、換言すると感圧接着剤であり、固化せず剥離可能であり、押し付けられると２つの材質間を接着させる。第１両面テープ４１は、第１ウレタンフィルム２１、後述の第２ウレタンフィルム２２、および後述の第２両面テープ４２のいずれよりも薄い。
【００１３】
第１両面テープ４１には、基材として第２ウレタンフィルム２２（第２基材層）が積層される。第２ウレタンフィルム２２は、ＰＵやＴＰＵであり高い耐摩耗性、柔軟性、および弾性を有する。第２ウレタンフィルム２２は、第１ウレタンフィルム２１と同じ素材であり、透明性を有し、厚みが第１ウレタンフィルム２１と同じである。
【００１４】
第２ウレタンフィルム２２には、第２両面テープ４２（第２接着層）が積層される。第２両面テープ４２は、不織布等の基材が両面に粘着剤を保持する構造となっている。第２両面テープ４２は、第１両面テープ４１と例えば同じ素材で構成することができる。第２両面テープ４２は、第１ウレタンフィルム２１、第２ウレタンフィルム２２、および第１両面テープ４１のいずれよりも厚い。
【００１５】
第２両面テープ４２には、セパレータ５が積層される。サイドテープ１は、セパレータ５が剥がされた状態で卓球ラケット１の外周面９２に貼られる。
【００１６】
（効果）
サイドテープ１は、第１ウレタンフィルム２１および第１両面テープ４１の層と、第２ウレタンフィルム２２および第２両面テープ４２の層とが積層された２層構造になっている。そのため、サイドテープ１は、従来の１層構造のサイドテープ１Ａよりも、卓球ラケット９の外周面９２の保護効果を向上できる。
【００１７】
サイドテープ１は、ウレタンフィルムおよび両面テープの層が２層のみ積層される構造であり、軽量である。そのため、サイドテープ１を卓球ラケット９に貼り付けても、卓球ラケット９の重量の増加は僅かであり、個人や貼り付けられるテープの面積にもよるが、実質的にプレーに支障がでない。
【００１８】
従来の１層構造のサイドテープ１Ａの強度を向上させる方法として、ウレタンフィルム２１Ａの厚みを例えば２倍に増大させることが考えられる。しかし、この場合、サイドテープ１Ａの柔軟性が失われ、卓球ラケット９へ貼りづらくなったり、卓球ラケット９から剥がれやすくなったりする。実施形態のサイドテープ１では、２層構造としているので、強度を向上させ、厚みと重量の増大も抑えながら、テープ全体としての柔軟性も維持できる。また、サイドテープ１は、高い耐摩耗性、柔軟性、および弾性を有する第１ウレタンフィルム２１および第２ウレタンフィルム２２を基材として利用するので、全体としてさらに柔軟性があり、卓球ラケット９の外周面９２に追従して曲げやすい。従って、サイドテープ１を卓球ラケット９に貼りやすく、また、卓球ラケット９から剥がれづらいものにできる。
【００１９】
サイドテープ１では、第１ウレタンフィルム２１および第２ウレタンフィルム２２間を接着する第１接着層に第１両面テープ４１を利用し、貼り付け対象に接着する第２接着層に第２両面テープ４２を利用している。第１両面テープ４１および第２両面テープ４２は、基材を有するので、第１接着層および第２接着層を粘着剤のみとする場合に比べ、サイドテープ１の弾性を増大させることができる。
【００２０】
第１ウレタンフィルム２１および第２ウレタンフィルム２２として、厚みが同じ同一の素材を使用しているので、コストを抑えることができる。第１両面テープ４１は、第１ウレタンフィルム２１および第２ウレタンフィルム２２間の接着機能を有していればよく、他面でセパレータ５を保持する必要がある第２両面テープ４２よりも薄いものを用いることができる。そこで、第１両面テープ４１として第２両面テープ４２よりも薄いものを用いることで、サイドテープ１全体の厚みが増すのを抑えることができ、サイドテープ１の柔軟性もより維持しやすい。
【００２１】
サイドテープ１は、柔軟性を有するので、セパレータ５を付けた状態で巻いて保存でき、保管がしやすい。サイドテープ１は、卓球ラケット９の外周面９２に貼られることで、サイドテープ１の厚み分、ラバー９３の端縁にボールを当たりにくくできる。従って、サイドテープ１は、卓球ラケット９の外周面９２の保護および装飾のほか、ラバー９３を剥がれにくくする効果もある。
【００２２】
（変形例）
第１ウレタンフィルム２１は、透明性を有していなくてもよく、着色されていてもよい。例えば、第１ウレタンフィルム２１の表面に、文字や図形等の模様が描かれた透明性を有するフィルムが積層され、第１ウレタンフィルム２１の色は、該フィルムの背景色としてされてもよい。
【００２３】
第１ウレタンフィルム２１および第２ウレタンフィルム２２は、実施形態では同一の素材であったが、異なる素材であってもよい。実施形態では、第１基材層および第２基材層がいずれもウレタンフィルムである例を説明した。しかし、第１基材層および第２基材層は、一方のみがウレタンフィルムであってもよいし、いずれもがウレタンフィルムではない素材であってもよい。
【００２４】
実施形態では、第１両面テープ４１および第２両面テープ４２は、粘着剤を保持していたが、第１両面テープ４１および第２両面テープ４２は、いずれも、または一方のみが接着剤を保持していてもよい。実施形態では、第１接着層および第２接着層が両面テープである例を説明したが、第１接着層および第２接着層は、いずれも、または一方のみが基材を含まなくてもよく、単に接着剤または粘着剤であってもよい。
【００２５】
実施形態では、第１基材層および第２基材層の厚みが同一である例を説明したが、第１基材層は第２基材層よりも厚くてもよいし、薄くてもよい。実施形態では、第１接着層が第２接着層よりも薄い例を説明したが、第１接着層は、第２接着層よりも厚くてもよいし、第２接着層と厚みが同一であってもよい。
【００２６】
基材層および接着材層を含む層を、実施形態では２層積層させていたが、３層以上積層させてもよい。
【実施例】
【００２７】
実施形態の２層構造のサイドテープ１である実施例と、従来の１層構造のサイドテープ１Ａである従来品ａ〜ｄとを３人のテスターＸ〜Ｚが４週間に亘って使用し、１〜４週間後の各製品の状態を観察した。実施例のサイドテープ１において、第１ウレタンフィルム２１および第２ウレタンフィルム２２は、素材が共にＰＵ（ポリウレタン）であり、厚さは０．２ｍｍである。第１両面テープ４１は、日東工業株式会社製の厚さ０．１５ｍｍの両面テープである。第２両面テープ４２は、日東工業株式会社製の厚さ０．２８ｍｍの両面テープである。
【００２８】
以下の表１は、テスターＸによる試験結果である。テスターＸは、卓球歴１年で市〜地区大会出場レベルの初級者である。表１中の◎は、実施例または従来品ａ〜ｄが使用前と状態がほとんど変わらないことを示す。〇は、実施例または従来品ａ〜ｄが、使用感はあるが、まだ使用可能な状態を示す。△は、表面のウレタンフィルムが破れたり穴が開いたりして、実施例または従来品ａ〜ｄに大きなダメージがある状態を示す。×は、実施例または従来品ａ〜ｄが横に裂けたり、一部が完全に破壊されて切断されたりして使用不可な状態を示す。各記号の意味は、後の表２，３においても同様である。  
以下の表２は、テスターＹによる試験結果である。テスターＹは、卓球歴３年で地区大会〜県大会出場レベルの中級者である。都合により従来品ｄに対しては４週間目の試験を行っていない。
以下の表３は、テスターＺによる試験結果である。テスターＺは、卓球歴２０年で全国大会出場レベルの上級者である。
【００２９】
【表１】
0003220045.tif 000003
【００３０】
【表２】
0003220045.tif 000004
【００３１】
【表３】
0003220045.tif 000005
【００３２】
いずれのテスターＸ，Ｙ，Ｚによる試験結果においても、本考案の実施例の方が、従来品ａ〜ｄよりも強度（耐久性）があることが確認できた。従来品ａ〜ｄは、初心者（テスターＸ）および中級者（テスターＹ）に使用される場合には２週間目から大きなダメージを受け、上級者（テスターＺ）に使用される場合に至っては１週間目から大きなダメージを受けることがわかる。一方、本考案の実施例では、初心者から上級者のいずれが４週間使用しても大きなダメージを受けることがなく、従来品ａ〜ｄに比べて非常に強度に優れていることがわかる。
【符号の説明】
【００３３】
１    テープ（サイドテープ）
３    印刷面
５    セパレータ
９    卓球ラケット
２１  第１ウレタンフィルム（第１基材層）
４１  第１両面テープ（第１接着層）
２２  第２ウレタンフィルム（第２基材層）
４２  第２両面テープ（第２接着層）
９２  外周面
【図１】
0003220045.tif 000006
【図２】
0003220045.tif 000007
【図３】
0003220045.tif 000008